(57)【要約】【課題】異なる種類や形状のプーリへの、または複数段プーリの異なる箇所への伝動ベルトの取り付けに使用できるようにベルト取付治具に汎用性を持たせる。【解決手段】周長方向に伸縮可能な伝動ベルト（１０１）を２軸レイアウトのプーリ（２０１）に緊張状態で巻き掛けるに際し、２軸レイアウトのプーリを構成する駆動プーリ（２０３）に取り付けて使用されるベルト取付治具（１）において、駆動プーリの外周面に設置され、伝動ベルトを保持するベルト保持部品（３）と、ベルト保持部品と組み合わせられ、伝動ベルトの張力を受けたときのベルト保持部品の横転を駆動プーリとの係合により防止する横転防止部品（５）とを備え、横転防止部品は、ベルト保持部品に対して着脱可能に構成されている。【選択図】図１
2020115022.tif 000002
【特許請求の範囲】
【請求項１】
周長方向に伸縮可能な伝動ベルトを複数のプーリに緊張状態で巻き掛けるに際し、１つの前記プーリに取り付けて使用されるベルト取付治具であって、
前記１つのプーリの外周面に設置され、前記伝動ベルトを保持するベルト保持部品と、
前記ベルト保持部品と組み合わせられ、前記伝動ベルトの張力を受けたときの前記ベルト保持部品の横転を前記１つのプーリとの係合により防止する横転防止部品と、を備え、
前記横転防止部品は、前記ベルト保持部品に対して着脱可能に構成されている
ことを特徴とするベルト取付治具。
【請求項２】
請求項１に記載されたベルト取付治具において、
前記横転防止部品として、前記ベルト保持部品が設置される前記プーリの外周面に隣接した位置で当該プーリの側面と当接する第１の横転防止部品を備える
ことを特徴とするベルト取付治具。
【請求項３】
請求項２に記載されたベルト取付治具において、
前記横転防止部品として、前記ベルト保持部品が設置される前記プーリの外周面から側方に離間した位置で当該プーリの側面と当接する第２の横転防止部品をさらに備える
ことを特徴とするベルト取付治具。
【請求項４】
請求項３に記載されたベルト取付治具において、
前記第１の横転防止部品は、手前側プーリと奥側プーリとが回転軸方向に並設された二段プーリにおける前記手前側プーリに前記伝動ベルトを巻き掛ける際に用いられ、前記手前側プーリの外周面に前記ベルト保持部品を設置した状態で、当該手前側プーリの側面と当接する部品であり、
前記第２の横転防止部品は、前記二段プーリにおける前記奥側プーリに前記伝動ベルトを巻き掛ける際に用いられ、前記奥側プーリの外周面に前記ベルト保持部品を設置した状態で、前記手前側プーリの側面と当接する部品である
ことを特徴とするベルト取付治具。
【請求項５】
請求項１〜４のいずれか１項に記載されたベルト取付治具において、
前記横転防止部品は、前記ベルト保持部品に対して嵌合構造により着脱可能とされている
ことを特徴とするベルト取付治具。
【請求項６】
請求項５に記載されたベルト取付治具において、
前記ベルト保持部品および前記横転防止部品のうち、一方の部品には凹部が設けられ、他方の部品には前記凹部と嵌合する凸部が設けられており、
前記嵌合構造は、前記凹部と前記凸部との嵌合構造を含む
ことを特徴とするベルト取付治具。
【請求項７】
請求項５に記載されたベルト取付治具において、
前記ベルト保持部品は、
前記１つのプーリの外周面に裏面が宛がわれて、該プーリの外周面と前記伝動ベルトとの間に挟み込まれると共に、前記伝動ベルトを表面で保持しながら前記１つのプーリの外周面に案内するベルト案内部と、
前記ベルト案内部の幅方向における一側に設けられて、前記ベルト案内部における前記伝動ベルトを保持する表面よりも表側に突出し、前記ベルト案内部の表面から側方へ前記伝動ベルトが外れるのを規制するベルト外れ規制部と、を備え、
前記横転防止部品は、
前記ベルト外れ規制部を前記ベルト案内部とは反対側で受け容れる凹状の受容部と、
前記受容部よりも裏側の位置で前記１つのプーリの側面に当接する当接部と、を備え、
前記嵌合構造は、前記ベルト外れ規制部と前記受容部との嵌合構造を含む
ことを特徴とするベルト取付治具。
【請求項８】
請求項７に記載されたベルト取付治具において、
前記ベルト外れ規制部には、前記ベルト案内部とは反対側に開口する凹部が設けられ、
前記受容部の底面には、前記凹部と嵌合する凸部が設けられており、
前記嵌合構造は、前記凹部と前記凸部との嵌合構造を含む
ことを特徴とするベルト取付治具。
【発明の詳細な説明】
【技術分野】
【０００１】
本開示の技術は、伝動ベルトをプーリに取り付けるためのベルト取付治具に関する。
【背景技術】
【０００２】
従来から、伸縮可能な低弾性の伝動ベルトが自動車用エンジンのベルト伝動装置に使用されている。この低弾性の伝動ベルトは、自動車用エンジンにおいて、例えば、クランクプーリおよびエアコン用プーリの間、クランクプーリおよびウォーターポンプ用プーリの間などの２軸レイアウトのプーリで多く採用されている。ここで、２軸レイアウトのプーリに低弾性の伝動ベルトを取り付ける際には、一方のプーリに伝動ベルトを巻き掛け、他方のプーリに装着したベルト取付治具を用いて、他方のプーリの外周面に伝動ベルトを巻き掛けることになる。
【０００３】
このような伝動ベルトをプーリに巻き掛ける際に用いるベルト取付治具として、プーリの種類や形状に合わせて様々な形態の治具が提案されている。
【０００４】
例えば、特許文献１には、複数のプーリが回転軸方向に並設された多段プーリの手前側プーリまたは１本掛プーリである第１プーリと、他のプーリとしての第２プーリとの間に伝動ベルトを巻き掛けるのに用いられるベルト取付治具が開示されている。また、特許文献２には、互いに同径の手前側プーリと奥側プーリとが回転軸方向に並設された二段プーリの奥側プーリと、他のプーリとしての第２プーリとの間に伝動ベルトを巻き掛けるのに用いられるベルト取付治具が開示されている。また、特許文献３には、手前側プーリと手前側プーリよりも大径の奥側プーリとが回転軸方向に並設された二段プーリの奥側プーリと、他のプーリとしての第２プーリとの間に伝動ベルトを巻き掛ける際に、手前側プーリに一旦巻き掛けられた伝動ベルトを奥側プーリにシフトさせるのに使用されるベルト取付治具が開示されている。
【先行技術文献】
【特許文献】
【０００５】
【特許文献１】特開２０１１−２０８７５３号公報
【特許文献２】特開２０１２−２２９８１３号公報
【特許文献３】特開２０１７−２２３３１０号公報
【発明の概要】
【発明が解決しようとする課題】
【０００６】
ベルト伝動装置のプーリとしては、１本掛プーリや二段プーリ、二段プーリでも回転軸方向に隣り合うプーリ同士が同径のものもあれば異径のものもあり、様々な種類および形状のプーリが車種毎に採用されている。しかし、特許文献１〜３に開示されたような従来のベルト取付治具は、特定の種類や形状のプーリに専用のものであったり、二段プーリなどの複数段プーリ（複数本掛プーリ）においては特定の巻き掛け箇所に専用のものであったりして、汎用性に乏しい。
【０００７】
このため、使用者側としては、車種毎にプーリの種類や形状、複数段プーリにおいてはその巻き掛け箇所に合わせて、複数種類のベルト取付治具を用意する必要があり、コストが増大してしまう。また、提供者側としては、各種のプーリに対して個別にベルト取付治具を用意するとなると、治具形状の開発に伴う初期投資が嵩んでしまう上に、ベルト取付治具の種類毎の管理が必要になるため、在庫管理が煩雑になる。
【０００８】
本開示の技術は、斯かる点に鑑みてなされたものであり、その目的とするところは、異なる種類や形状のプーリへの、または複数段プーリの異なる箇所への伝動ベルトの巻き掛けに使用できるようにベルト取付治具に汎用性を持たせることにある。
【課題を解決するための手段】
【０００９】
上記の目的を達成するために、本開示の技術では、プーリの外周面上で伝動ベルトを保持するベルト保持部品に対し、その横転を防止する横転防止部品を着脱可能に備えるようにした。
【００１０】
具体的には、本開示の技術は、周長方向に伸縮可能な伝動ベルトを複数のプーリに緊張状態で巻き掛けるに際し、１つのプーリに取り付けて使用されるベルト取付治具を対象とする。本開示の技術に係るベルト取付治具は、１つのプーリの外周面に設置され、伝動ベルトを保持するベルト保持部品と、ベルト保持部品と組み合わせられ、伝動ベルトの張力を受けたときのベルト保持部品の横転を上記１つのプーリとの係合により防止する横転防止部品とを備える。そして、横転防止部品は、ベルト保持部品に対して着脱可能に構成されている。
【００１１】
この構成によると、プーリの外周面上で伝動ベルトを保持するベルト保持部品に対し、その横転を防止する横転防止部品を着脱可能に備えるようにしたので、ベルト取付治具の使用形態について、横転防止部品をベルト保持部品に組み付けた形態で使用するか、あるいは横転防止部品をベルト保持部品から取り外した形態で使用するかを選択し得る。それにより、ベルト取付治具を、伝動ベルトを取り付ける対象とするプーリの種類や形状に合わせた形態で使用することができる。したがって、ベルト取付治具を異なる種類や形状のプーリへの、または複数段プーリの異なる箇所への伝動ベルトの巻き掛けに使用することができる。
【００１２】
上記ベルト取付治具では、横転防止部品として、ベルト保持部品が設置されるプーリの外周面に隣接した位置で当該プーリの側面と当接する第１の横転防止部品を備えていてもよい。
【００１３】
この構成によると、ベルト取付治具に具体的な汎用性を持たせることができる。例えば、複数のプーリへの伝動ベルトの取り付け作業において、ベルト取付治具をベルト保持部品のみで使用しても、ベルト保持部品が横転し難い種類または形状のプーリ、あるいは複数段プーリのうちベルト保持部品が横転し難い箇所に伝動ベルトを巻き掛ける場合には、ベルト取付治具をベルト保持部品のみで使用する一方、ベルト取付治具をベルト保持部品のみで使用すると、ベルト保持部品が横転し易い種類または形状のプーリに、あるいは複数段プーリのうちベルト保持部品が横転し易い箇所に伝動ベルトを巻き掛ける場合には、ベルト取付治具を横転防止部品付きで使用する、というようにベルト取付治具の使用形態を使い分けることができる。
【００１４】
また、横転防止部品として、ベルト保持部品が設置されるプーリの外周面から側方に離間した位置で当該プーリの側面と当接する第２の横転防止部品を備えていてもよい。
【００１５】
この構成によると、横転防止部品として第１の横転防止部品の他に第２の転倒防止部品を備えるようにしたので、ベルト取付治具の使用形態を、伝動ベルトを取り付ける対象とするプーリの種類や形状に合わせて、第１の横転防止部品付きの形態と第２の横転防止部品付きの形態とで使い分けることができる。それによって、ベルト取付治具の汎用性を高めることができる。
【００１６】
第１の横転防止部品は、手前側プーリと奥側プーリとが回転軸方向に並設された二段プーリにおける手前側プーリに伝動ベルトを巻き掛ける際に用いられ、手前側プーリの外周面にベルト保持部品を設置した状態で、当該手前側プーリの側面と当接する部品であってもよい。そして、第２の横転防止部品は、二段プーリにおける奥側プーリに伝動ベルトを巻き掛ける際に用いられ、奥側プーリの外周面にベルト保持部品を設置した状態で、手前側プーリの側面と当接する部品であってもよい。
【００１７】
この構成によると、第１の横転防止部品付きのベルト取付治具を二段プーリの手前側プーリに伝動ベルトを巻き掛ける場合に使用される形態とし、第２の横転防止部品付きのベルト取付治具を二段プーリの奥側プーリに伝動ベルトを巻き掛ける場合に使用される形態としたので、当該ベルト取付治具を、二段プーリの手前側プーリへの伝動ベルトの巻き掛け作業と、奥側プーリへの伝動ベルトの巻き掛け作業とに兼用することができる。
【００１８】
また、横転防止部品は、ベルト保持部品に対して嵌合構造により着脱可能とされていてもよい。
【００１９】
この構成によると、ベルト保持部品に横転防止部品を着脱可能とするのに嵌合構造を採用するようにしたので、本開示の技術に係るベルト取付治具を簡単な構成で実現することができる。
【００２０】
横転防止部品をベルト保持部品に着脱可能とする嵌合構造には、種々の構成を採り得る。例えば、ベルト保持部品および横転防止部品のうち、一方の部品には凹部が設けられ、他方の部品にはその凹部と嵌合する凸部が設けられており、横転防止部品をベルト保持部品に着脱可能とする嵌合構造は、これら凹部と凸部との嵌合構造を含んでいてもよい。
【００２１】
この構成によると、横転防止部品をベルト保持部品に着脱可能とする嵌合構造に、凹部および凸部からなる単純な嵌合構造を含むようにしたので、ベルト保持部品への横転防止部品の着脱を簡単に行えるようにすることができる。
【００２２】
また、ベルト保持部品は、１つのプーリの外周面に裏面が宛がわれて、そのプーリの外周面と伝動ベルトとの間に挟み込まれると共に、伝動ベルトを表面で保持しながら１つのプーリの外周面に案内するベルト案内部と、ベルト案内部の幅方向における一側に設けられて、ベルト案内部における伝動ベルトを保持する表面よりも表側に突出し、ベルト案内部の表面から側方へ伝動ベルトが外れるのを規制するベルト外れ規制部とを備えていてもよい。この場合、横転防止部品は、ベルト外れ規制部をベルト案内部とは反対側で受け容れる凹状の受容部と、受容部よりも裏側の位置で１つのプーリの側面に当接する当接部とを備えていてもよい。そして、横転防止部品をベルト保持部品に着脱可能とする嵌合構造は、ベルト外れ規制部と受容部との嵌合構造を含んでいてもよい。
【００２３】
この構成によると、横転防止部品をベルト保持部品に着脱可能とする嵌合構造に、ベルト保持部品の機能部位であるベルト外れ規制部を利用した、横転防止部品の受容部とベルト外れ規制部との単純な嵌合構造を含むようにしたので、ベルト保持部品への横転防止部品の着脱を簡単に行えるようにすることができる。
【００２４】
さらに、ベルト外れ規制部には、ベルト案内部とは反対側に開口する凹部が設けられ、受容部の底面には、凹部と嵌合する凸部が設けられていてもよい。そして、横転防止部品をベルト保持部品に着脱可能とする嵌合構造は、これら凹部と凸部との嵌合構造を含んでいてもよい。
【００２５】
この構成によると、横転防止部品をベルト保持部品に着脱可能とする嵌合構造を、ベルト保持部品のベルト外れ規制部と横転防止部品の受容部との嵌合構造に加え、ベルト外れ規制部に設けられた凹部と受容部に設けられた凸部との嵌合構造を含む二重嵌合構造としたので、ベルト保持部品に対し横転防止部品を強固に組み付けることができる。
【発明の効果】
【００２６】
本開示の技術に係るベルト取付治具によれば、異なる種類や形状のプーリへの、または複数段プーリの異なる箇所への伝動ベルトの巻き掛けに使用できるようにベルト取付治具に汎用性を持たせることができる。これによって、車種毎に個別に展開されていたベルト取付治具を１つの治具で兼ねることができる。その結果、使用者側においてはベルト取付治具の用意にかかるコストを低減し、且つ、提供者側においては、治具形状の開発に伴う初期投資を削減すると共に、ベルト取付治具の在庫管理の負担を軽減することができる。
【図面の簡単な説明】
【００２７】
【図１】図１は、実施形態に係るベルト取付治具の構成を示す分解斜視図である。
【図２】図２は、実施形態に係るベルト取付治具の構成を示す分解斜視図である。
【図３】図３は、実施形態に係るベルト取付治具の第１の態様を示す斜視図である。
【図４】図４は、実施形態に係るベルト取付治具の第１の態様を示す斜視図である。
【図５】図５は、実施形態に係るベルト取付治具の第２の態様を示す斜視図である。
【図６】図６は、実施形態に係るベルト取付治具の第２の態様を示す斜視図である。
【図７】図７は、実施形態に係るベルト取付治具を第１の態様で使用して伝動ベルトを取り付ける２軸レイアウトのプーリの側面図である。
【図８】図８は、図７に示す２軸レイアウトのプーリを構成する第１の駆動プーリの平面図である。
【図９】図９は、実施形態に係るベルト取付治具を第１の態様で使用したベルト取り付け作業の初期の様子を示す側面図である。
【図１０】図１０は、図９に示すベルト取り付け作業の初期の様子をXで示す下方から見た下面図である。
【図１１】図１１は、実施形態に係るベルト取付治具を第１の態様で使用したベルト取り付け作業の途中の様子を示す側面図である。
【図１２】図１２は、図１１に示すベルト取り付け作業の途中の様子をXIIで示す側方から見た下面図である。
【図１３】図１３は、実施形態に係るベルト取付治具を第１の態様で使用したベルト取り付け作業の後期の様子を示す側面図である。
【図１４】図１４は、図１３に示すベルト取り付け作業の後期の様子をXIVで示す上方から見た下面図である。
【図１５】図１５は、実施形態に係るベルト取付治具を第２の態様で使用して伝動ベルトを取り付ける２軸レイアウトのプーリの側面図である。
【図１６】図１６は、図１５に示す２軸レイアウトのプーリを構成する第２の駆動プーリの平面図である。
【図１７】図１７は、実施形態に係るベルト取付治具を第２の態様で使用したベルト取り付け作業の初期の様子を示す側面図である。
【図１８】図１８は、図１７に示すベルト取り付け作業の初期の様子をXVIIIで示す下方から見た下面図である。
【図１９】図１９は、実施形態に係るベルト取付治具を第２の態様で使用したベルト取り付け作業の途中の様子を示す側面図である。
【図２０】図２０は、図１９に示すベルト取り付け作業の途中の様子をXXで示す側方から見た側面図である。
【図２１】図２１は、実施形態に係るベルト取付治具を第２の態様で使用したベルト取り付け作業の後期の様子を示す側面図である。
【図２２】図２２は、図２１に示すベルト取り付け作業の後期の様子をXXIIで示す上方から見た上面図である。
【発明を実施するための形態】
【００２８】
以下、例示的な実施形態を図面に基づいて詳細に説明する。なお、以下の実施形態では、ベルト取付治具に関し、伝動ベルトをプーリに取り付ける作業でのプーリへの取り付け状態において、当該プーリの回転方向における前側を「前」、後側を「後」と称し、当該プーリの手前側を「手前」、奥側を「奥」と称し、当該プーリの径方向における内側を「下」、外側を「上」と称する。
【００２９】
この実施形態に係るベルト取付治具１は、周長方向に伸縮可能な伝動ベルト１０１を複数のプーリ２０３，２０５に緊張状態で巻き掛けるに際し、１つのプーリ２０３に取り付けて使用される。ベルト取付治具１を使用してプーリ２０３に取り付ける伝動ベルト１０１は、図示しないが、例えば、低弾性のＶリブドベルトであって、心線が埋め込んで設けられた平ベルト状のベルト本体と、そのベルト本体の内周面に周方向に延びるように設けられた複数（例えば４本）のＶリブとを備えている。
【００３０】
この伝動ベルト１０１を取り付ける２軸レイアウトのプーリ２０１Ａ，２０１Ｂの構成例を図７、図８、図１５および図１６に示す。図７は、ベルト取付治具１を第１の態様で使用して伝動ベルト１０１を取り付ける２軸レイアウトのプーリ２０１Ａの側面図である。図８は、図７に示す２軸レイアウトのプーリ２０１Ａを構成する第１の駆動プーリ２０３Ａの平面図である。図１５は、ベルト取付治具１を第２の態様で使用して伝動ベルト１０１を取り付ける２軸レイアウトのプーリ２０１Ｂの側面図である。図１６は、図１５に示す２軸レイアウトのプーリ２０１Ｂを構成する第２の駆動プーリ２０３Ｂの平面図である。
【００３１】
２軸レイアウトのプーリ２０１Ａ，２０１Ｂはいずれも、図７および図１５に示すように、駆動プーリ２０３と従動プーリ２０５とによって構成されている。駆動プーリ２０３は、例えば、車両に搭載されるエンジンのクランク軸に連結されるクランクプーリである。従動プーリ２０５は、例えば、車両に搭載されるエアコンディショナコンプレッサの入力軸に連結されるエアコン用プーリ、または車両に搭載されるウォーターポンプの入力軸に連結されるウォーターポンプ用プーリである。これら駆動プーリ２０３と従動プーリ２０５とは、所定の軸間距離を隔てて回転自在に支持されており、当該軸間距離が変更不能とされている。
【００３２】
ベルト取付治具１は、このような２軸レイアウトのプーリ２０１Ａ，２０１Ｂに伝動ベルト１０１を取り付ける際、駆動プーリ２０３に取り付けて使用される。２軸レイアウトのプーリ２０１Ａ，２０１Ｂを構成する駆動プーリ２０３はいずれも、手前側プーリ２０７Ａ，２０７Ｂと奥側プーリ２０９Ａ，２０９Ｂとが回転軸方向に並設された二段プーリである。２軸レイアウトのプーリ２０１Ａを構成する第１の駆動プーリ２０３Ａでは、図８に示すように、手前側プーリ２０７Ａが相対的に小径とされ、奥側プーリ２０９Ａが相対的に大径とされている。他方、２軸レイアウトのプーリ２０１Ｂを構成する第２の駆動プーリ２０３Ｂでは、図１６に示すように、手前側プーリ２０７Ｂと奥側プーリ２０９Ｂとが同径とされている。
【００３３】
第１および第２の駆動プーリ２０３Ａ，２０３Ｂはそれぞれ、回転軸に円筒状に設けられたボス部２１１を有し、ボス部２１１にエンジンのクランク軸が挿入されて、センターボルト２１２によりクランク軸に固定されている。これら第１および第２の駆動プーリ２０３Ａ，２０３Ｂの手前側プーリ２０７Ａ，２０７Ｂおよび奥側プーリ２０９Ａ，２０９Ｂの外周面にはそれぞれ、伝動ベルト１０１の内周面に設けられた複数のＶリブと嵌合する複数のプーリ溝２１３と、手前側および奥側の各端部でプーリ溝２１３の群に隣り合う環状のフランジ２１５とが設けられている。
【００３４】
第１の駆動プーリ２０３Ａにおいて、伝動ベルト１０１が取り付けられる箇所は、例えば手前側プーリ２０７Ａであって、手前側プーリ２０７Ａの外周面には、伝動ベルト１０１の内周面に設けられた複数のＶリブと同じ数（例えば４本）のプーリ溝２１３が設けられている。他方、第２の駆動プーリ２０３Ｂにおいて、伝動ベルト１０１が取り付けられる箇所は、例えば奥側プーリ２０９Ｂであって、奥側プーリ２０９Ｂの外周面には、伝動ベルト１０１の内周面に設けられた複数のＶリブと同じ数（例えば４本）のプーリ溝２１３が設けられている。また、従動プーリ２０５の外周面にも、伝動ベルト１０１の内周面に設けられた複数のＶリブと嵌合する複数（例えば４本）のプーリ溝が設けられている。
【００３５】
ベルト取付治具１は、上記のような第１の駆動プーリ２０３Ａを含む２軸レイアウトのプーリ２０１Ａへの伝動ベルト１０１の取り付け作業と、第２の駆動プーリ２０３Ｂを含む２軸レイアウトのプーリ２０１Ｂへの伝動ベルト１０１の取り付け作業とに兼用される、汎用性を有する治具であって、当該治具を構成する部品の組み替えにより、その使用形態を変えられるようになっている。
【００３６】
このベルト取付治具１の構成例を図１〜図６に示す。図１は、ベルト取付治具１の構成を前側から示す分解斜視図である。図２は、ベルト取付治具１の構成を後側から示す分解斜視図である。図３は、ベルト取付治具１の第１の態様を前側から示す斜視図である。図４は、ベルト取付治具１の第１の態様を後側から示す斜視図である。図５は、ベルト取付治具１の第２の態様を前側から示す斜視図である。図６は、ベルト取付治具１の第２の態様を後側から示す斜視図である。
【００３７】
ベルト取付治具１は、図１〜図６に示すように、伝動ベルト１０１を保持するベルト保持部品３と、駆動プーリ２０３との係合により伝動ベルト１０１の張力を受けたときのベルト保持部品３の横転を防止する横転防止部品５とを備えている。横転防止部品５としては、第１の駆動プーリ２０３Ａにおける手前側プーリ２０７Ａに伝動ベルト１０１を巻き掛ける際などに用いられる第１の横転防止部品５Ａと、第２の駆動プーリ２０３Ｂにおける奥側プーリ２０９Ｂに伝動ベルト１０１を巻き掛ける際などに用いられる第２の横転防止部品５Ｂとがある。
【００３８】
ベルト保持部品３は、例えばＭＣ（モノキャスト）ナイロンやポリプロピレン（ＰＰ）などからなる樹脂製品である。また、第１の横転防止部品５Ａおよび第２の横転防止部品５Ｂはいずれも、ベルト保持部品３と同じ樹脂材料（例えばＭＣナイロンやポリプロピレン）からなる樹脂製品である。これら第１の横転防止部品５Ａおよび第２の横転防止部品５Ｂは、ベルト保持部品３の同一箇所に対して着脱可能に構成されている。
【００３９】
ベルト保持部品３は、２軸レイアウトのプーリ２０１Ａ，２０１Ｂへの伝動ベルト１０１の取り付け作業において、取り付け対象とする駆動プーリ２０３の外周面に設置される部品である。このベルト保持部品３は、伝動ベルト１０１を表面で保持しながら駆動プーリ２０３の外周面に案内するベルト案内部７と、ベルト案内部７の表面から伝動ベルト１０１が手前側へ外れるのを規制するベルト外れ規制部９とを備え、これらベルト案内部７およびベルト外れ規制部９が一体成形された形状を有している。
【００４０】
ベルト案内部７は、前後方向において上側に凸状をなすように湾曲しており、伝動ベルト１０１の取り付け対象とする駆動プーリ２０３の外周面、具体的には、第１の駆動プーリ２０３Ａの手前側プーリ２０７Ａに伝動ベルト１０１を取り付ける場合に当該手前側プーリ２０７Ａの外周面に、第２の駆動プーリ２０３Ｂの奥側プーリ２０９Ｂに伝動ベルト１０１を取り付ける場合に当該奥側プーリ２０９Ｂの外周面にそれぞれ宛がわれて、その駆動プーリ２０３の外周面と伝動ベルト１０１との間に挟み込まれる。
【００４１】
また、ベルト案内部７の裏面には、駆動プーリ２０３の外周に設けられたプーリ溝２１３と嵌合する複数のＶリブ１１が設けられている。ベルト案内部７の裏面に設けられるＶリブ１１の数は、ベルト取付治具１に汎用性を持たせるために、３つとされている。これら各Ｖリブ１１の長さは、伝動ベルト１０１の取り付け対象とする駆動プーリ２０３へのベルト取付治具１の取り付け状態がプーリ径（曲率）の影響を受けないように、３０ｍｍ以下とされている。
【００４２】
ベルト外れ規制部９は、ベルト案内部７の幅方向における一側にブロック状に設けられ、ベルト案内部７における伝動ベルト１０１を保持する表面よりも表側（上側）に突出している。このベルト外れ規制部９は、伝動ベルト１０１の取り付け対象とする駆動プーリ２０３にベルト取付治具１を装着した状態で、ベルト案内部７の手前側に位置する。ベルト外れ規制部９には、ベルト案内部７とは反対側の一側方に向けて開口する矩形状の凹部１３が設けられている。また、ベルト保持部品３の裏面には、ベルト外れ規制部９の裏面がベルト案内部７の裏面よりもやや上方に位置するように段差部１５が設けられている。
【００４３】
第１の横転防止部品５Ａは、ベルト保持部品３と組み合わせられて、ベルト保持部品３が設置される駆動プーリ２０３の外周面に隣接した位置で当該駆動プーリ２０３の側面と当接する部品である。例えば、第１の駆動プーリ２０３Ａに対し、手前側プーリ２０７Ａの外周面にベルト保持部品３を設置して、第１の横転防止部品５Ａ付きのベルト取付治具１を取り付けた場合、第１の横転防止部品５Ａは、当該手前側プーリ２０７Ａの外周面に隣接するフランジ２１５を含む手前側の側面と当接する。この第１の横転防止部品５Ａは、ベルト保持部品３に対して嵌合構造により着脱可能とされている。
【００４４】
第１の横転防止部品５Ａは、ベルト保持部品３の一部であるベルト外れ規制部９をベルト案内部７とは反対側で受け容れる凹状の受容部１７Ａと、受容部１７Ａよりも裏側で伝動ベルト１０１の取り付け対象とする駆動プーリ２０３の側面に当接する当接部１９Ａとを備えている。受容部１７Ａは、ベルト外れ規制部９を上下に抱え込むような前後に開放された幅広の溝形に設けられている。受容部１７Ａの底面には、ベルト外れ規制部９に設けられた凹部１３と嵌合する凸部２１Ａが設けられている。
【００４５】
第１の横転防止部品５Ａをベルト保持部品３に着脱可能とする嵌合構造は、ベルト保持部品３のベルト外れ規制部９と第１の横転防止部品５Ａの受容部１７Ａとの嵌合構造と、当該ベルト外れ規制部９に設けられた凹部１３と当該受容部１７Ａに設けられた凸部２１Ａとの嵌合構造とによって構成されている。第１の横転防止部品５Ａは、そのような二重嵌合構造により、ベルト保持部品３に対して簡単且つ強固に組み付けられるようになっている。
【００４６】
当接部１９Ａは、受容部１７Ａの下側面部を構成している。この当接部１９Ａは、第１の駆動プーリ２０３Ａにおける手前側プーリ２０７Ａと奥側プーリ２０９Ａとの間の段差よりも上下方向の高さ寸法が小さなブロック状に設けられている。当該当接部１９Ａは、例えば、第１の横転防止部品５Ａ付きのベルト取付治具１が第１の駆動プーリ２０３Ａにおける手前側プーリ２０７Ａに取り付けられた状態では、当該手前側プーリ２０７Ａのフランジ２１５を含む手前側の側面に当接し、当該ベルト取付治具１が奥側プーリ２０９Ａに取り付けられた状態では、当該奥側プーリ２０９Ａのフランジ２１５を含む手前側の側面に当接する。このように、第１の横転防止部品５Ａは、第１の駆動プーリ２０３Ａにあっては、手前側プーリ２０７Ａへの伝動ベルト１０１の取り付け作業にも、奥側プーリ２０９Ａへの伝動ベルト１０１の取り付け作業にも使用することが可能になっている。
【００４７】
第２の横転防止部品５Ｂは、ベルト保持部品３と組み合わせられて、ベルト保持部品３が設置される駆動プーリ２０３の外周面から側方に離間した位置で当該駆動プーリ２０３の側面と当接する部品である。例えば、第２の駆動プーリ２０３Ｂに対し、奥側プーリ２０９Ｂの外周面にベルト保持部品３を設置して、第２の横転防止部品５Ｂ付きのベルト取付治具１を取り付けた場合、第２の横転防止部品５Ｂは、当該第２の駆動プーリ２０３Ｂにおける手前側プーリ２０７Ｂのフランジ２１５を含む手前側の側面と当接する。この第２の横転防止部品５Ｂも、ベルト保持部品３に対して嵌合構造により着脱可能とされている。
【００４８】
第２の横転防止部品５Ｂは、ベルト保持部品３の一部であるベルト外れ規制部９をベルト案内部７とは反対側で受け容れる凹状の受容部１７Ｂと、受容部１７Ｂの裏側でベルト案内部７に沿って延びる湾曲形板状の補足案内部２３と、補足案内部２３の裏側側方で伝動ベルト１０１の取付け対象とする駆動プーリ２０３の側面に当接する当接部１９Ｂとを備えている。受容部１７Ｂは、ベルト外れ規制部９を上下に抱え込むような前後に開放された幅広の溝形に設けられている。受容部１７Ｂの底面には、ベルト外れ規制部９に設けられた凹部１３と嵌合する凸部２１Ｂが設けられている。
【００４９】
第２の横転防止部品５Ｂをベルト保持部品３に着脱可能とする嵌合構造は、ベルト保持部品３のベルト外れ規制部９と第２の横転防止部品５Ｂの受容部１７Ｂとの嵌合構造と、当該ベルト外れ規制部９に設けられた凹部１３と当該受容部１７Ｂに設けられた凸部２１Ｂとの嵌合構造とによって構成されている。第２の横転防止部品５Ｂは、そのような二重嵌合構造により、ベルト保持部品３に対して簡単且つ強固に組み付けられるようになっている。
【００５０】
補足案内部２３は、受容部１７Ｂの下側面部を構成すると共に、受容部１７Ｂよりも前方に延び出ている。この補足案内部２３は、ベルト保持部品３の裏面に設けられた段差部１５の高さと同程度の板厚に設けられている。そのことで、補足案内部２３の裏面は、第２の横転防止部品５Ｂがベルト保持部品３に組み付けられた状態で、ベルト案内部７の裏面と幅方向において同一または略同一の位置となる。
【００５１】
当該補足案内部２３は、第２の横転防止部品５Ｂがベルト保持部品３に組み付けられた状態で、ベルト外れ規制部９よりも前方に迫り出す。そのことで、補足案内部２３は、例えば、第２の横転防止部品５Ｂ付きのベルト取付治具１が第２の駆動プーリ２０３Ｂにおける奥側プーリ２０９Ｂに取り付けられた状態では、ベルト案内部７の側方位置で手前側プーリ２０７Ｂの外周面を覆って、ベルト案内部７と共に伝動ベルト１０１を表面で保持しながら駆動プーリ２０３の外周面に案内するようになっている。
【００５２】
当接部１９Ｂは、受容部１７Ｂの凸部２１Ｂとは反対側で側方に延びた後に下方へ垂下した断面Ｌ字状に設けられている。この当接部１９Ｂは、例えば、第２の横転防止部品５Ｂ付きのベルト取付治具１が第２の駆動プーリ２０３Ｂにおいて奥側プーリ２０９Ｂに取り付けられた状態では、手前側プーリ２０７Ｂのフランジ２１５を含む手前側の側面に当接するようになっている。
【００５３】
上記構成のベルト取付治具１は、２軸レイアウトのプーリ２０１Ａに対し、第１の駆動プーリ２０３Ａの手前側プーリ２０７Ａまたは奥側プーリ２０９Ａを含めて伝動ベルト１０１を巻き掛ける際には、第１の横転防止部品５Ａをベルト保持部品３に組み付けた第１の態様で、第１の駆動プーリ２０３Ａに取り付けて使用される。また、当該ベルト取付け治具１は、２軸レイアウトのプーリ２０１Ｂに対し、第２の駆動プーリ２０３Ｂの奥側プーリ２０９Ｂを含めて伝動ベルト１０１を巻き掛ける際には、第２の横転防止部品５Ｂをベルト保持部品３に組み付けた第２の態様で、第２の駆動プーリ２０３Ｂに取り付けて使用される。
【００５４】
以下に、２軸レイアウトのプーリ２０１Ａ，２０１Ｂに対し、ベルト取付治具１を使用して、伝動ベルト１０１を巻き掛けた状態に取り付ける作業手順の一例を説明する。
【００５５】
まず、ベルト取付治具１を使用した２軸レイアウトのプーリ２０１Ａへの伝動ベルト１０１の取り付け作業について、第１の駆動プーリ２０３Ａにおける手前側プーリ２０７Ａに伝動ベルト１０１を巻き掛ける場合を例に挙げて、図９〜図１４を参照しながら説明する。
【００５６】
図９は、ベルト取付治具１を第１の態様で使用したベルト取り付け作業の初期の様子を示す側面図である。図１０は、図９に示すベルト取り付け作業の初期の様子をXで示す下方から見た下面図である。図１１は、ベルト取付治具１を第１の態様で使用したベルト取り付け作業の途中の様子を示す側面図である。図１２は、図１１に示すベルト取り付け作業の途中の様子をXIIで示す側方から見た下面図である。図１３は、ベルト取付治具１を第１の態様で使用したベルト取り付け作業の後期の様子を示す側面図である。図１４は、図１３に示すベルト取り付け作業の途中の様子をXIVで示す上方から見た下面図である。なお、図１１〜図１４中の矢印は、レンチ３０１を動かす方向と第１の駆動プーリ２０３Ａの回転方向を示している。
【００５７】
２軸レイアウトのプーリ２０１Ａに対し、ベルト取付治具１を第１の態様で使用して、第１の駆動プーリ２０３Ａにおける手前側プーリ２０７Ａを含めて伝動ベルト１０１を取り付ける作業では、まず、ベルト保持部品３に第１の横転防止部品５Ａを組み付けて、ベルト取付治具１を図３および図４に示す第１の態様に組み立てる。
【００５８】
次いで、図９および図１０に示すように、従動プーリ２０５に伝動ベルト１０１の一方側を架け渡し、第１の態様に組み立てたベルト取付治具１を、ベルト保持部品３のベルト案内部７裏面を当該手前側プーリ２０７Ａの外周面に宛がい、第１の横転防止部品５Ａの当接部１９Ａを当該手前側プーリ２０７Ａのフランジ２１５を含む手前側の側面に当接させた状態として、第１の駆動プーリ２０３Ａに密着させる。そして、一方側を従動プーリ２０５に架け渡してある伝動ベルト１０１の他方側をベルト外れ規制部９の奥側を通してベルト案内部７表面に掛け回し、伝動ベルト１０１の一部を第１の駆動プーリ２０３Ａの手前側に引き出した状態として、ベルト案内部７を当該手前側プーリ２０７Ａの外周面と伝動ベルト１０１との間に挟み込むことにより、ベルト取付治具１を手前側プーリ２０７Ａに取り付ける。
【００５９】
続いて、図９および図１０に二点鎖線で示すように、ベルト取付治具１を取り付けた第１の駆動プーリ２０３Ａのセンターボルト２１２にレンチ３０１を連結し、第１の駆動プーリ２０３Ａを手動で回転させられるようにする。そして、図１１および図１２に示すように、レンチ３０１を用いて第１の駆動プーリ２０３Ａをベルト取付治具１が従動プーリ２０５とは反対側の位置を経由するよう所定の方向（図１１で時計回りの方向）へ回転させる。そのことにより、ベルト取付治具１が第１の駆動プーリ２０３Ａの回転方向における前方へ進み、手前側プーリ２０７Ａのプーリ溝２１３に嵌合する伝動ベルト１０１の範囲、つまり手前側プーリ２０７Ａにおける伝動ベルト１０１の巻き掛け範囲が徐々に広がっていく。
【００６０】
このようにして、第１の駆動プーリ２０３Ａに伝動ベルト１０１を巻き掛けている最中には、伝動ベルト１０１の張力で手前側に向かう力がベルト外れ規制部９に作用する。そうしたベルト外れ規制部９に作用する力は、ベルト保持部品３を手前側へ横転させる方向にかかるが、第１の横転防止部品５Ａが第１の駆動プーリ２０３Ａの手前側の側面に突っ張ってベルト保持部品３を支持することにより、ベルト保持部品３の横転が規制されるため、第１の駆動プーリ２０３Ａへの伝動ベルト１０１の巻き掛けが終了するまで、第１の駆動プーリ２０３Ａに対するベルト取付治具１の取り付け状態が維持される。
【００６１】
第１の駆動プーリ２０３Ａを回転させていくと、やがて、伝動ベルト１０１のうち第１の駆動プーリ２０３Ａの手前側に引き出されていた部分も、図１３および図１４に示すように、ベルト取付治具１のベルト案内部７表面に滑り込んで乗り、プーリ溝２１３と嵌合して、第１の駆動プーリ２０３Ａにおける手前側プーリ２０７Ａに完全に巻き掛けられる。そして、ベルト取付治具１が伝動ベルト１０１から外れて、第１の駆動プーリ２０３Ａと従動プーリ２０５との間に位置した状態となるので、この時点で第１の駆動プーリ２０３Ａを回転させるのを止めて、ベルト取付治具１を第１の駆動プーリ２０３Ａから取り外して回収する。
【００６２】
このようにして、２軸レイアウトのプーリ２０１Ａにおいて、第１の駆動プーリ２０３Ａの手前側プーリ２０７Ａと従動プーリ２０５とに、ベルト取付治具１を第１の態様で使用して、伝動ベルト１０１を緊張状態に取り付けることができる。
【００６３】
なお、上記の例では、第１の駆動プーリ２０３Ａの手前側プーリ２０７Ａと従動プーリ２０５とに伝動ベルト１０１を取り付ける場合を説明したが、第１の態様のベルト取付治具１は、２軸レイアウトのプーリ２０１Ａにおいては、第１の駆動プーリ２０３Ａの奥側プーリ２０９Ｂと従動プーリ２０５とに伝動ベルト１０１を取り付ける場合にも、同様な手順で使用することが可能である。
【００６４】
次に、ベルト取付治具１を使用した２軸レイアウトのプーリ２０１Ｂへの伝動ベルト１０１の取り付け作業について、第２の駆動プーリ２０３Ｂにおける奥側プーリ２０９Ｂに伝動ベルト１０１を取り付ける作業を例に挙げて、図１７〜図２２を参照しながら説明する。
【００６５】
図１７は、ベルト取付治具１を第２の態様で使用したベルト取り付け作業の初期の様子を示す側面図である。図１８は、図１７に示すベルト取り付け作業の初期の様子をXVIIIで示す下方から見た下面図である。図１９は、ベルト取付治具１を第２の態様で使用したベルト取り付け作業の途中の様子を示す側面図である。図２０は、図１９に示すベルト取り付け作業の途中の様子をXXで示す側方から見た側面図である。図２１は、ベルト取付治具１を第２の態様で使用したベルト取り付け作業の後期の様子を示す側面図である。図２２は、図２１に示すベルト取り付け作業の後期の様子をXXIIで示す上方から見た上面図である。
【００６６】
２軸レイアウトのプーリ２０１Ｂに対し、ベルト取付治具１を第２の態様で使用して、第２の駆動プーリ２０３Ｂにおける奥側プーリ２０９Ｂを含めて伝動ベルト１０１を取り付ける作業では、まず、ベルト保持部品３に第２の横転防止部品５Ｂを組み付けて、ベルト取付治具１を図５および図６に示す第２の態様に組み立てる。
【００６７】
次いで、図１７および図１８に示すように、従動プーリ２０５に伝動ベルト１０１の一方側を架け渡し、第２の態様に組み立てたベルト取付治具１を、ベルト保持部品３のベルト案内部７裏面を当該奥側プーリ２０９Ｂの外周面に宛がい、第２の横転防止部品５Ｂの当接部１９Ｂを第２の駆動プーリ２０３Ｂにおける手前側プーリ２０７Ｂのフランジ２１５を含む手前側の側面に当接させた状態として、第２の駆動プーリ２０３Ｂに密着させる。そして、一方側を従動プーリ２０５に架け渡してある伝動ベルト１０１の他方側をベルト外れ規制部９の奥側を通してベルト案内部７表面に掛け回し、伝動ベルト１０１の一部を第２の駆動プーリ２０３Ｂの手前側に引き出した状態として、ベルト案内部７を当該奥側プーリ２０９Ｂの外周面と伝動ベルト１０１との間に挟み込むことにより、ベルト取付治具１を奥側プーリ２０９Ｂに取り付ける。
【００６８】
続いて、図１７および図１８に二点鎖線で示すように、ベルト取付治具１を取り付けた第２の駆動プーリ２０３Ｂのセンターボルト２１２にレンチ３０１を連結し、第２の駆動プーリ２０３Ｂを手動で回転させられるようにする。そして、図１９および図２０に示すように、レンチ３０１を用いて第２の駆動プーリ２０３Ｂをベルト取付治具１が従動プーリ２０５とは反対側の位置を経由するよう所定の方向（図１７で時計回りの方向）へ回転させる。そのことにより、ベルト取付治具１が第２の駆動プーリ２０３Ｂの回転方向における前方へ進み、奥側プーリ２０９Ｂのプーリ溝２１３に嵌合する伝動ベルト１０１の範囲、つまり奥側プーリ２０９Ｂにおける伝動ベルト１０１の巻き掛け範囲が徐々に広がっていく。
【００６９】
このようにして、第２の駆動プーリ２０３Ｂに伝動ベルト１０１を巻き掛けている最中には、伝動ベルト１０１が張力で手前側に向かう力がベルト外れ規制部９に作用する。そうしたベルト保持部品３を手前側へ横転させる方向にかかる力は、奥側プーリ２０９Ｂにおける伝動ベルト１０１の巻き掛け範囲が広がっていくのに連れて大きくなるが、第２の横転防止部品５Ｂが第２の駆動プーリ２０３Ｂの手前側の側面に突っ張ってベルト保持部品３を支持することにより、ベルト保持部品の横転が規制されるため、第２の駆動プーリ２０３Ｂへの伝動ベルト１０１の巻き掛けが終了するまで、第２の駆動プーリ２０３Ｂに対するベルト取付治具１の取り付け状態が維持される。
【００７０】
第２の駆動プーリ２０３Ｂを回転させていくと、やがて、伝動ベルト１０１のうち第２の駆動プーリ２０３Ｂの手前側に引き出されていた部分も、図２１および図２２に示すように、ベルト取付治具１のベルト案内部７表面に滑り込んで乗り、プーリ溝２１３と嵌合して、第２の駆動プーリ２０３Ｂにおける奥側プーリ２０９Ｂに完全に巻き掛けられる。そして、ベルト取付け治具１が伝動ベルト１０１から外れて、第２の駆動プーリ２０３Ｂと従動プーリ２０５との間に位置した状態となるので、この時点で第２の駆動プーリ２０３Ｂを回転させるのを止めて、ベルト取付治具１を第２の駆動プーリ２０３Ｂから取り外して回収する。
【００７１】
このようにして、２軸レイアウトのプーリ２０１Ｂにおいて、第２の駆動プーリ２０３Ｂの奥側プーリ２０９Ｂと従動プーリ２０５とに、ベルト取付治具１を第２の態様で使用して、伝動ベルト１０１を緊張状態に巻き掛けることができる。
【００７２】
なお、上記の例では、第２の駆動プーリ２０３Ｂの奥側プーリ２０９Ｂと従動プーリ２０５とに伝動ベルト１０１を取り付ける場合を説明したが、２軸レイアウトのプーリ２０１Ｂにおいて、第２の駆動プーリ２０３Ｂの手前側プーリ２０７Ｂと従動プーリ２０５とに伝動ベルト１０１を取り付ける場合には、ベルト取付治具１を第１の態様で使用すればよい。
【００７３】
この実施形態に係るベルト取付治具１によると、伝動ベルト１０１を取り付ける対象とする駆動プーリ２０３の外周面上で伝動ベルト１０１を保持するベルト保持部品３に対し、その横転を防止する第１および第２の横転防止部品５Ａ，５Ｂを着脱可能に備えるようにしたので、ベルト取付治具１の使用形態について、第１の横転防止部品５Ａをベルト保持部品３に組み付けた第１の態様で使用するか、あるいは第２の横転防止部品５Ｂをベルト保持部品３に組み付けた第２の態様で使用するかを選択し得る。それにより、ベルト取付治具１を、伝動ベルト１０１を取り付ける対象とするプーリの種類や形状に合わせた形態で使用することができる。
【００７４】
したがって、第１および第２の横転防止部品５Ａ，５Ｂを必要に応じてベルト保持部品３に着脱することにより、ベルト取付治具１を、異なる種類や形状のプーリへの、または複数段プーリの異なる箇所への伝動ベルト１０１の巻き掛けに使用することができ、車種毎に個別に展開されていたベルト取付治具を１つの治具１で兼ねることができる。その結果、使用者側においてはベルト取付治具１の用意にかかるコストを低減することができ、且つ、提供者側においては、治具形状の開発に伴う初期投資を削減すると共に、ベルト取付治具１の在庫管理の負担を軽減することができる。
【００７５】
以上のように、本開示の技術の例示として、好ましい実施形態について説明した。しかし、本開示の技術は、これに限定されず、適宜、変更、置き換え、付加、省略などを行った実施の形態にも適用可能である。また、添付図面および詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００７６】
例えば、上記実施形態について、以下のような構成としてもよい。
【００７７】
上記実施形態では、本開示の技術に係るベルト取付治具１について、ベルト保持部品３と第１および第２の横転防止部品５Ａ，５Ｂとを備える構成を例に挙げたが、本開示の技術はこれに限らない。当該ベルト取付治具１は、ベルト保持部品３と１つの横転防止部品５とを備える構成であってもよい。このような構成でも、ベルト取付治具１に汎用性を持たせることができる。
【００７８】
例えば、複数のプーリへの伝動ベルトの取り付け作業において、ベルト取付治具をベルト保持部品３のみで使用しても、ベルト保持部品３が横転し難い種類または形状のプーリ、あるいは複数段プーリのうちベルト保持部品３が横転し難い箇所に伝動ベルト１０１を巻き掛ける場合には、ベルト取付治具１をベルト保持部品３のみの態様で使用すればよい。一方、ベルト取付治具１をベルト保持部品３のみで使用すると、ベルト保持部品３が横転し易い種類または形状のプーリ、あるいは複数段プーリのうちベルト保持部品３が横転し易い箇所に伝動ベルト１０１を巻き掛ける場合には、ベルト取付治具１を横転防止部品５付きの態様で使用すればよい。
【００７９】
このように、上記構成のベルト取付治具は、伝動ベルトを取り付ける対象とするプーリの種類や形状などに応じて、横転防止部品５の有り無しで使い分けることができる。
【００８０】
また、当該ベルト取付治具１は、第１および第２の横転防止部品５Ａ，５Ｂに加えて、より多種多様なプーリへの伝動ベルト１０１の取り付け作業でも使用できるよう、第１および第２の横転防止部品５Ａ，５Ｂとは形状を異にする第３の横転防止部品５を備えていても、さらに第１〜第３の横転防止部品５とは形状を異にする第４の横転防止部品５を備えていてもよく、ベルト取付治具１の汎用性を高め得るものであれば、横転防止部品５の個数は幾つであっても構わない。
【００８１】
また、上記実施形態では、ベルト取付治具１を使用して伝動ベルト１０１を取り付ける対象として２軸レイアウトのプーリ２０１Ａ，２０１Ｂを例示したが、本開示の技術はこれに限らない。ベルト取付治具１は、３軸のレイアウトのプーリへの伝動ベルト１０１の取り付け作業に使用されてもよいし、４軸以上のレイアウトのプーリへの伝動ベルト１０１の取り付け作業に使用されても構わない。
【産業上の利用可能性】
【００８２】
以上説明したように、本開示の技術は、伝動ベルトをプーリに取り付けるためのベルト取付治具について有用である。
【符号の説明】
【００８３】
１          ベルト取付治具
３          ベルト保持部品
５          横転防止部品
５Ａ        第１の横転防止部品
５Ｂ        第２の横転防止部品
７          ベルト案内部
９          ベルト外れ規制部
１１        Ｖリブ
１３        凹部
１５        段差部
１７Ａ，１７Ｂ    受容部
１９Ａ，１９Ｂ    当接部
２１Ａ，２１Ｂ    凸部
２３        補足案内部
１０１      伝動ベルト
２０１，２０１Ａ，２０１Ｂ    ２軸レイアウトのプーリ
２０３      駆動プーリ
２０３Ａ    第１の駆動プーリ
２０３Ｂ    第２の駆動プーリ
２０５      従動プーリ
２０７，２０７Ａ，２０７Ｂ    手前側プーリ
２０９，２０９Ａ，２０９Ｂ    奥側プーリ
２１１      ボス部
２１２      センターボルト
２１３      プーリ溝
２１５      フランジ
３０１      レンチ
【図１】
2020115022.tif 000003
【図２】
2020115022.tif 000004
【図３】
2020115022.tif 000005
【図４】
2020115022.tif 000006
【図５】
2020115022.tif 000007
【図６】
2020115022.tif 000008
【図７】
2020115022.tif 000009
【図８】
2020115022.tif 000010
【図９】
2020115022.tif 000011
【図１０】
2020115022.tif 000012
【図１１】
2020115022.tif 000013
【図１２】
2020115022.tif 000014
【図１３】
2020115022.tif 000015
【図１４】
2020115022.tif 000016
【図１５】
2020115022.tif 000017
【図１６】
2020115022.tif 000018
【図１７】
2020115022.tif 000019
【図１８】
2020115022.tif 000020
【図１９】
2020115022.tif 000021
【図２０】
2020115022.tif 000022
【図２１】
2020115022.tif 000023
【図２２】
2020115022.tif 000024